(57)【要約】      （修正有）【課題】リボン片と弾性を有する帯状片との相互接続に用いられる新たな接続片及びこの接続片を用いて形成された環状のラッピングリボンを提供する。【解決手段】接続片１６は第１の粘着面と第１の粘着面に連なる２つの第２の粘着面とを有する。第２の両粘着面は互いに分離され第１の粘着面に向けて折り返し可能である。第１の粘着面は直列に揃えられたリボン片１２の端部及び帯状片１４の端部におけるこれらの一方の片面への接着に供される。第２の両粘着面は折り返され、リボン片１２の端部及び帯状片１４の端部におけるこれらの他方の片面への接着に供される。環状のラッピングリボン１０は、リボン片１２の各端部及び帯状片の各端部において、これらの一方の片面がそれぞれ各接続片１６の第１の粘着面に接着され、また、これらの他方の片面がそれぞれ各接続片の折り返された第２の両粘着面に接着されている。【選択図】図１
0003222298.tif 000002
【実用新案登録請求の範囲】
【請求項１】
環状のラッピングリボンの形成に供されるリボン片と弾性を有する帯状片との接続に用いられるシート状の接続片であって、
第１の粘着面及び該第１の粘着面に連なる２つの第２の粘着面であって互いに分離され前記第１の粘着面に向けて折り返し可能である２つの第２の粘着面を備え、
前記第１の粘着面が、直列に揃えられた前記リボン片の端部及び前記帯状片の端部におけるこれらの一方の片面への接着に供され、また、折り返された第２の両粘着面が、それぞれ、前記リボン片の端部及び前記帯状片の端部におけるこれらの他方の片面への接着に供される、接続片。
【請求項２】
前記接続片は、該接続片に設けられ前記第１の粘着面と前記第２の両粘着面との境界に沿って伸びる一条のミシン目を有する、請求項１に記載の接続片。
【請求項３】
さらに、前記第１の粘着面及び前記第２の両粘着面に貼り合わされた剥離紙を備え、
前記剥離紙は、該剥離紙に設けられ前記第２の両粘着面の境界及び該境界の延長に沿って伸びる一条の切れ込みと、前記第１の粘着面と前記第２の両粘着面との境界に沿って伸びる一条のミシン目とを有する、請求項1又は２に記載の接続片。
【請求項４】
リボン片と、弾性を有する帯状片と、２つの接続片であって各接続片が請求項１〜３のいずれか１項に記載された接続片である、２つの接続片とからなる環状のラッピングリボンであって、
直列に揃えられた前記リボン片の各端部及び前記帯状片の各端部において、これらの一方の片面がそれぞれ各接続片の第１の粘着面に接着され、また、これらの他方の片面がそれぞれ各接続片の折り返された第２の両粘着面に接着されている、環状のラッピングリボン。
【考案の詳細な説明】
【技術分野】
【０００１】
本考案は、環状のラッピングリボンの形成に供されるリボン片と弾性を有する帯状片との相互接続に用いられる接続片及び該接続片を用いて形成された環状のラッピングリボンに関する。
【背景技術】
【０００２】
従来、商品又はその包装を装飾するためにこれに掛けられる環状のラッピングリボンが提案されている。このラッピングリボンは、リボン片と、弾性を有する帯状片と、リボン片及び帯状片を相互に接続する２つの接続片とからなる。これによれば、帯状片の弾性を利用して、商品又はその包装の形状に適合するようにあるいはフィットするように、また、外れ難く、商品又はその包装にラッピングリボンを掛けることができる。
【先行技術文献】
【特許文献】
【０００３】
【特許文献１】実用新案登録第３２１５４８４号公報
【考案の概要】
【考案が解決しようとする課題】
【０００４】
本考案は、環状のラッピングリボンの形成に供されるリボン片と弾性を有する帯状片との相互接続に用いられる新たな接続片を提供し、また、この接続片を用いて形成された環状のラッピングリボンを提供する。
【課題を解決するための手段】
【０００５】
本考案は、環状のラッピングリボンの形成に供されるリボン片と弾性を有する帯状片との接続に用いられるシート状の接続片に係る。前記接続片は第１の粘着面と、該第１の粘着面に連なる２つの第２の粘着面であって互いに分離され前記第１の粘着面に向けて折り返し可能である２つの第２の粘着面とを備える。前記第１の粘着面は直列に揃えられた前記リボン片の端部及び前記帯状片の端部におけるこれらの一方の片面への接着に供され、また、前記第２の両粘着面はそれぞれ折り返され、前記リボン片の端部及び前記帯状片の端部におけるこれらの他方の片面への接着に供される。
【０００６】
本考案によれば、前記リボン片の各端部及び前記帯状片の各端部が、前記接続片を介して、これらの両片面において接着される。これにより、前記リボン片と前記帯状片とが比較的強固に接続された環状のラッピングリボンを得ることができる。前記接続片を用いて行う前記リボン片の端部と前記帯状片の端部との接続の作業は比較的容易である。このため、環状のラッピングリボンの形成に要する時間及び労力の軽減を図ることができる。また、これにより比較的短時間内での大量のラッピングリボンの形成が可能である。
【０００７】
前記接続片は、該接続片に設けられ前記第１の粘着面と前記第２の両粘着面との境界に沿って伸びる一条のミシン目を有するものとすることができる。これによれば、前記第１の粘着面に向けての前記第２の粘着面の折り返しを前記ミシン目に沿って正確にまた容易に行うことができる。
【０００８】
前記接続片は、さらに、前記第１の粘着面及び前記第２の両粘着面に貼り合わされた剥離紙を備えるものとすることができる。前記剥離紙は、該剥離紙に設けられ前記第２の両粘着面相互の境界及び該境界の延長に沿って伸びる一条の切れ込みと、前記第１の粘着面と前記第２の両粘着面との境界に沿って伸びる一条のミシン目とを有する。これによれば、前記リボン片の端部と前記帯状片との接続に際し、前記剥離紙の一部を前記ミシン目までめくり上げ、前記ミシン目に沿って折り曲げることにより、前記第1の粘着面及び第２の両粘着面をそれぞれ露出させることができる。
【０００９】
また、本考案は環状のラッピングリボンに係る。前記ラップリボンは、リボン片と、弾性を有する帯状片と、２つの前記接続片とからなる。前記リボン片及び前記帯状片は、直列に揃えられた前記リボン片の各端部及び前記帯状片の各端部において、これらの一方の片面がそれぞれ各接続片の第１の粘着面に接着され、また、これらの他方の片面がそれぞれ各接続片の折り返された第２の両粘着面に接着されている。
【図面の簡単な説明】
【００１０】
【図１】ラッピングリボンの斜視図である。
【図２】異なる方向から見たラッピングリボンの斜視図である。
【図３】（ａ）は、接続片の正面図であってその接続片の基材及び粘着層を部分的に切り欠いて示す接続片の正面図、及び、剥離紙を部分的に切り欠いて示す接続片の背面図である。
【図４】２つの接続片及び帯状片の背面図である。
【図５】２つの接続片の第１の粘着面に接着された帯状片の背面図である。
【図６】２つの接続片の第２の粘着面に接着された帯状片の背面図である。
【図７】２つの接続片の第１の粘着面に接着されたリボン片の背面図である。
【図８】２つの接続片の第２の粘着面に接着されたリボン片の背面図である。
【考案を実施するための形態】
【００１１】
図１及び図２を参照すると、異なる方向から見た環状のラッピングリボンが全体に符号１０で示されている。ラッピングリボン１０は、商品又はその包装（図示せず）の装飾のためにこれに掛けられる。
【００１２】
ラッピングリボン１０は、リボン片１２と、弾性を有する帯状片１４と、２つの接続片１６とからなる。リボン片１２及び帯状片１４は、これらの各端部１２ａ（図７参照）及び１４ａ（図４参照）において、各接続片１６を介して互いに接続されている。
【００１３】
リボン片１２は、ナイロン繊維、ポリエステル繊維のような合成繊維製の織物、アセテートのような化学繊維製の織物、天然繊維製の織物等からなる比較的短尺のストリップ、ポリプロピレン製やビニル製のテープ等、又は、比較的長尺のストリップ、テープ等から切り取られた所望長さの一部からなる。リボン片１２の長さは装飾対象である商品又はその包装の大きさに応じて定めることができる。また、帯状片１４は、例えば比較的短尺の平打ち加工のゴム紐、又は、比較的長尺のゴム紐から切り取られた所望長さの一部からなり、その長手方向へ弾性的に伸縮可能である。帯状片１４の長さは任意に定めることができる。
【００１４】
図３の（ａ）及び（ｂ）に示すように、接続片１６は、シート状の基材１８と、該基材の片面に塗布された粘着剤の層（以下、「粘着剤層」という。）２０と、粘着剤層２０の表面に貼り合わされ該表面を覆う剥離紙２２とを有する。粘着剤層２０の前記表面は第１の粘着面２０ａと該第１の粘着面に連なる２つの第２の粘着面２０ｂとからなる。
【００１５】
図示の接続片１６は、市販の粘着テープであって粘着面が剥離紙で保護された市販の粘着テープから切り取られた所望長さの一部からなり、矩形の平面形状を有する。但し、接続片１６は、図示の例に代えて、剥離紙２２を有しないものとすることができ、また、前記矩形以外の例えば円形の平面形状を有するものとすることができる。
【００１６】
第1の粘着面２０ａは、図上において、接続片１６の平面形状である前記矩形の下半部を占め、また、２つの第２の粘着面２０ｂは前記矩形の上半部を占める。第２の両粘着面２０ｂは、接続片１６に設けられた一条の切れ込み２４により互いに分離されている。切れ込み２４は、図上、前記矩形の上半部において、上下方向へ伸び、基材１８、粘着剤層２０及び剥離紙２２を左右に等分に切り分けている。これにより、第２の両粘着面２０ｂ（より正確には、第２の両接着面２０ｂをそれぞれ規定する粘着剤層２０の一部及び粘着剤層２０と一体をなす基材１８の一部）が第１の粘着面２０ａに向けて折り返し可能とされている。
【００１７】
図示の例においては、また、接続片１６に一条のミシン目２６が設けられている。ミシン目２６は、基材１８、粘着剤層２０及び剥離紙２２を貫通し、また、第１の粘着面２０ａと第２の両粘着面２０ｂとの境界に沿って図上を左右方向へ伸びている。ミシン目２６は、第１の粘着面２０ａに向けての第２の各粘着面２０ｂの折り返しを容易にし、また、正確に行うことを可能にする。
【００１８】
剥離紙２２は、好ましくは、第２の両粘着面２０ｂの境界の延長に沿って、図上において前記矩形の下半分を上下方向へ伸びる切れ込み２８を有する。したがって、剥離紙２２は、第２の両粘着面２０ｂの境界に沿って伸びる切れ込み２４と共に全体に一条の切れ込みを構成する切れ込み２８を有し、また、ミシン目２６を有し、両切れ込み２４、２８により、図上において左右の２つの半部２２ａ、２２ｂに分断されている。これによれば、切れ込み２４及び切れ込み２８のそれぞれに沿ってミシン目２６まで剥離紙２２の一部をめくり上げることができ、これにより第１の粘着面２０ａの一部及び第２の各粘着面２０ｂをそれぞれ露出させることができる。
【００１９】
接続片１６の露出された第１の粘着面２０ａは、直列に揃えられたリボン片１２の端部１２ａ及び帯状片１４の端部１４ａ（図７参照）におけるこれらの一方の片面１２Ａ、１４Ａ（図１参照）への接着に供され、また、折り返された第２の両粘着面２０ｂは、それぞれ、リボン片１２の端部１２ａ及び帯状片１４の端部１４ａにおけるこれらの他方の片面１２Ｂ、１４Ｂへの接着に供される。
【００２０】
次に、図４〜図７を参照して、２つの接続片１６を用いてリボン片１２と帯状片１４とを接続し、環状のラッピングリボン１０の形成する手順の一例について以下に述べる。
【００２１】
まず、帯状片１４と２つの接続片１６とを準備する（図４）。図上、帯状片１４はその両片面１４Ａ、１４Ｂのうちの他方の片面１４Ｂを上にして配置されている。また、両接続片１６は、図３（ｂ）に示す状態で、すなわちその基材１８を下にして、したがって剥離紙２２を上にして、帯状片１４の長手方向における両側に配置されている。
【００２２】
次に、図５に示すように、各接続片１６の第1の粘着面２０ａを覆う剥離紙２２の２つの半部のうちの一方の半部２２ａを切れ込み２８に沿ってめくり上げ、ミシン目２６の周りに折り曲げる。これにより、第１の各粘着面２０ａの一部が露出する。次いで、露出した第１の各粘着面２０ａの一部上に、帯状片１４の各端部１４ａを、その一方の片面１４Ａを下にして、ミシン目２６に対してこれと平行に載せ、押圧する。これにより、帯状片１４の各端部１４ａがその一方の片面１４Ａにおいて接続片１６の第１の粘着面２０ａに接着される。
【００２３】
次に、各接続片１６の剥離紙２２の一方の半部２２ａを切れ込み２４に沿ってめくり上げ、これを引き剥がし、第２の両粘着面２０ｂのうちの一方の第２の粘着面２０ｂを露出する。次いで、一方の第２の粘着面２０ｂを第１の粘着面２０ａの前記一部に向けて折り返し、帯状片１４の各端部１４ａの他方の片面１４Ｂに押し付ける（図６）。これにより、接続片１６がその一方の第２の粘着面２０ｂにおいて帯状片１４の各端部１４ａの他方の片面１４Ｂに接着される。
【００２４】
次に、剥離紙２２の他方の半部２２ｂを引き剥がし、各接続片１６の第１の粘着面２０ａの残部と他方の第２の粘着面２０ｂとを露出する。次いで、露出した各第１の粘着面２０ａの前記残部上にリボン片１２の各端部１２ａを、その一方の片面１２Ａを下にして、載せる。このとき、リボン片１２の各端部１２ａを帯状片１４の各他端部１４ａに対して直列をなすように揃え、好ましくは帯状片１４の各端部１４ａに突き合わせる。その後、リボン片１２の各端部１２ａを押圧する。これにより、リボン片１２の各端部１２ａがその一方の片面１２Ａにおいて、接続片１６の第１の粘着面２０ａの前記残部に接着される（図７）。
【００２５】
次に、図８に示すように、各接続片１６の他方の第２の粘着面２０ｂを第１の粘着面２０ａの前記残部に向けて折り返し、リボン片１２の各端部１２ａの他方の片面１２Ｂに押し付ける。これにより、他方の第２の粘着面２０ｂがリボン片１２の各端部１２ａの他方の片面１２Ｂに接着される。その結果、リボン片１２と帯状片１４とが、これらの両片面１２Ａ、１４Ａ及び１２Ｂ、１４Ｂにおいて、両接続片１６により比較的強固に接続され、これにより環状のラッピングリボン１０が得られる。
【００２６】
その後、好ましくは、形成されたラッピングリボン１０を裏返しにする。これにより、図１及び図２に示す態様のラッピングリボン１０が得られる。
【符号の説明】
【００２７】
１０  ラッピングリボン
１２  リボン片
１２ａ  リボン片の端部
１２Ａ、１２Ｂ  リボン片の一方の片面及び他方の片面
１４  帯状片
１４ａ  帯状片の端部
１４Ａ、１４Ｂ  帯状片の一方の片面及び他方の片面
１６  接続片
１８  基材
２０  粘着剤層
２０ａ  第１の粘着面
２０ｂ  第２の粘着面
２２  剥離紙
２４  切れ込み
２６  ミシン目
２８  切れ込み
【図１】
0003222298.tif 000003
【図２】
0003222298.tif 000004
【図３】
0003222298.tif 000005
【図４】
0003222298.tif 000006
【図５】
0003222298.tif 000007
【図６】
0003222298.tif 000008
【図７】
0003222298.tif 000009
【図８】
0003222298.tif 000010